(57)【要約】【課題】リモコン等に使用される電池収納装置において、幼児によるボタン電池の誤飲防止を目的とする。【解決手段】電池装着手段２を備えたリモコン本体１と、この電池装着手段２に着脱可能な電池固定手段３とから構成し、電池装着手段２から電池固定手段３を引き出す場合に第２の引っ掛け部９でアーム部７を移動させ係合部分８を電池装着手段２から外すと共に、第１の引っ掛け部６に道具を引っ掛け、電池装着手段２から電池固定手段３を引き出すという構成にしたことにより、使用者がボタン電池の交換等で何度も電池固定手段３を取り出すことによって、係合部分８が劣化や破損した場合でも、道具を使用しなければボタン電池を取り出すことができないので、ボタン電池の誤飲防止という効果を得ることができる。【選択図】図１
2013206673.tif 000002
【特許請求の範囲】
【請求項１】
電池装着手段を備えたリモコン本体と、この電池装着手段に着脱可能な電池固定手段とから構成し、この電池固定手段は、電池を装着する電池保持部と、前記電池固定手段を前記電池装着手段に保持する保持部とから形成し、電池保持部は、前記電池装着手段から電池固定手段を引き出す場合に道具で引っ掛けることができる第１の引っ掛け部を設け、前記保持部は、前記電池保持部から伸びたアーム部と、このアーム部に設けた前記電池装着手段と係合する係合部分と、前記アーム部を移動させ前記係合部分を前記電池装着手段から外す場合に爪で引っ掛けることができる第２の引っ掛け部とから形成し、前記電池装着手段から電池固定手段を引き出す場合に前記第２の引っ掛け部で前記アーム部を移動させ前記係合部分を前記電池装着手段から外すと共に、前記第１の引っ掛け部に道具を引っ掛け、前記電池装着手段から電池固定手段を引き出す構成であることを特徴とする電池収納装置。
【請求項２】
前記第１の引っ掛け部は、先のとがった道具で引っ掛けることができることを特徴とする請求項１に記載の電池収納装置。
【請求項３】
前記第１の引っ掛け部と、第２の引っ掛け部とは、前記電池装着手段から前記電池固定手段を引き出す方向における電池固定手段の下流側の一方側の端寄りに配置することを特徴とする請求項１または２に記載の電池収納装置。
【発明の詳細な説明】
【技術分野】
【０００１】
本発明は、リモコン等に使用されるボタン電池収納装置に関するものである。
【背景技術】
【０００２】
従来、この種のボタン電池収納装置は、ピンによりロックを解除し、爪先で電池収納部を引き出すものが知られている（例えば、特許文献１参照）。
【０００３】
以下、その電池収納装置について図２を参照しながら説明する。
【０００４】
図２に示すように、ホルダー１０１は左右一対の弾性脚体１０２、１０３を設け、この両弾性脚体１０２、１０３の間に形成する電池収容部１０４からなり、両弾性脚体１０２、１０３の先端に係合片１０２ａ、１０３ａを設けることにより、本体ケース１０５に設けた係合部１０６、１０７と着脱自在に係合することができる。前記ホルダー１０１には、両弾性脚体１０２、１０３のうち一方の弾性脚体１０２よりも外側の部位にロック用弾性脚体１０８を一体的に設け、前記本体ケース１０５には、ロック用係合部１０９を一体的に設ける。また、前記ロック用弾性脚体１０８の先端にロック爪１１０を一体的に設けることにより、前記ロック用係合部１０９と係合し、抜け不能となる。
【０００５】
さらに、前記ロック爪１１０には、ピン等を差し込むことができる凹部１１１を設け、前記ホルダー１０１には、爪先を掛ける凹部１１２を設ける。ピンにてロック爪１１０をロック用弾性脚体１０８の弾性に抗する方向に移動することにより、抜け不能のロックを解除し、この状態で、前記ホルダー１０１の爪掛け用凹部１１２に爪先を掛けて引き出す方向に外力を加えることにより、ホルダー１０１を本体ケース１０５から引き出すことができる構成となっている。
【先行技術文献】
【特許文献】
【０００６】
【特許文献１】実開平６−５１０４号公報
【発明の概要】
【発明が解決しようとする課題】
【０００７】
このような従来の電池収納装置においては、ピンを用いて抜け不能のロックを解除する構成となっていたので、繰返し動作によってロック用弾性脚体が材料劣化、塑性変形、破損し、抜け不能のロック機能を果たさず容易に電池を取り出せることにより、幼児がボタン電池を誤飲する可能性があるという課題を有していた。
【０００８】
そこで本発明は、上記従来の課題を解決するものであり、幼児によるボタン電池の誤飲の可能性を低減する電池収納装置を提供することを目的とする。
【課題を解決するための手段】
【０００９】
そして、この目的を達成するために、本発明は、電池装着手段を備えたリモコン本体と、この電池装着手段に着脱可能な電池固定手段とから構成し、この電池固定手段は、電池を装着する電池保持部と、前記電池固定手段を前記電池装着手段に保持する保持部とから形成し、電池保持部は、前記電池装着手段から電池固定手段を引き出す場合に道具で引っ掛けることができる第１の引っ掛け部を設け、前記保持部は、前記電池装着手段から伸びたアーム部と、このアーム部に設けた前記電池装着手段と係合する係合部分と、前記アーム部を移動させ前記係合部分を前記電池装着手段から外す場合に爪で引っ掛けることができる第２の引っ掛け部とから形成し、前記電池装着手段から電池固定手段を引き出す場合に前記第２の引っ掛け部で前記アーム部を移動させ前記係合部分を前記電池装着手段から外すと共に、前記第１の引っ掛け部に道具を引っ掛け、前記電池装着手段から電池固定手段を引き出す構成としたものであり、これにより所期の目的を達成するものである。
【発明の効果】
【００１０】
本発明によれば、電池装着手段を備えたリモコン本体と、この電池装着手段に着脱可能な電池固定手段とから構成し、この電池固定手段は、電池を装着する電池保持部と、前記電池固定手段を前記電池装着手段に保持する保持部とから形成し、電池保持部は、前記電池装着手段から電池固定手段を引き出す場合に道具で引っ掛けることができる第１の引っ掛け部を設け、前記保持部は、前記電池装着手段から伸びたアーム部と、このアーム部に設けた前記電池装着手段と係合する係合部分と、前記アーム部を移動させ前記係合部分を前記電池装着手段から外す場合に爪で引っ掛けることができる第２の引っ掛け部とから形成し、前記電池装着手段から電池固定手段を引き出す場合に前記第２の引っ掛け部で前記アーム部を移動させ前記係合部分を前記電池装着手段から外すと共に、前記第１の引っ掛け部に道具を引っ掛け、前記電池装着手段から電池固定手段を引き出すという構成にしたことにより、使用者がボタン電池の交換等で何度も電池固定手段を取り出すことによって、係合部分が劣化や破損した場合でも、道具を使用しなければボタン電池を取り出すことができないので、ボタン電池の誤飲を防止できるという効果を得ることができる。
【図面の簡単な説明】
【００１１】
【図１】本発明の実施の形態１の電池収納装置を示す概略図
【図２】同電池収納装置を示す平面概略図
【図３】従来の電池収納装置を示す平面概略図
【発明を実施するための形態】
【００１２】
本発明の請求項１記載の電池収納装置は、電池装着手段を備えたリモコン本体と、この電池装着手段に着脱可能な電池固定手段とから構成し、この電池固定手段は、電池を装着する電池保持部と、前記電池固定手段を前記電池装着手段に保持する保持部とから形成し、電池保持部は、前記電池装着手段から電池固定手段を引き出す場合に道具で引っ掛けることができる第１の引っ掛け部を設け、前記保持部は、前記電池装着手段から伸びたアーム部と、このアーム部に設けた前記電池装着手段と係合する係合部分と、前記アーム部を移動させ前記係合部分を前記電池装着手段から外す場合に爪で引っ掛けることができる第２の引っ掛け部とから形成し、前記電池装着手段から電池固定手段を引き出す場合に前記第２の引っ掛け部で前記アーム部を移動させ前記係合部分を前記電池装着手段から外すと共に、前記第１の引っ掛け部に道具を引っ掛け、前記電池装着手段から電池固定手段を引き出す構成である。これにより、使用者がボタン電池の交換等で何度も電池固定手段を取り出すことによって、係合部分が劣化や破損した場合でも、道具を使用しなければボタン電池を取り出すことができないので、ボタン電池の誤飲を防止できるという効果を奏する。
【００１３】
また、前記第１の引っ掛け部は、先のとがった道具で引っ掛けることができる構成にしてもよい。これにより、幼児が容易に電池固定手段を引き出すことができないので、幼児のボタン電池の誤飲防止という効果を奏する。
【００１４】
また、第１の引っ掛け部と、第２の引っ掛け部とは、電池装着手段から電池固定手段を引き出す方向における電池固定手段の下流側の一方側の端寄りに配置している。これにより、電池装着手段から電池固定手段を引き出す場合に、第１の引っ掛け部に道具を引っ掛けて引き出すと、電池固定手段のアーム部側が先に移動するので、道具を使用しながらでも容易に取り出せるという効果を奏する。
【００１５】
以下、本発明の実施の形態について図面を参照しながら説明する。
【００１６】
（実施の形態１）
図１、２に示すように、電池装着手段２を備えたリモコン本体１と、この電池装着手段２に着脱可能な電池固定手段３とから構成している。
【００１７】
リモコン本体１は、縦長四角薄型形状の略箱形状で、上面には、操作部を備え、一方側の側面短辺面には、横長四角形状の開口部１２を有している。この開口部から内方へ略長四角薄型形状である直方体の空間が伸びており、この空間が、電池装着手段２である。開口部１２に対向して、電池装着手段２の側面短辺面が位置し、開口部１２から見て左右側に側面長辺面１０が位置している。この電池装着手段２の側面長辺面１０には、側面長辺面１０から空間内方へ突出した複数の突起部１１が対向して設けている。これらの突起部１１より開口部１２よりの一方側の側面長辺面１０には、電池装着手段２の側面長辺面１０から空間外方へ窪んだ係合窪み部１３を備えている。この係合窪み部１３には、後述する係合部分８が係合するものである。
【００１８】
電池固定手段３は、ボタン電池１５を装着する電池保持部４と、電池固定手段３を電池装着手段２に保持する保持部５とから形成している。
【００１９】
電池保持部４は、電池装着手段２から電池固定手段３を引き出す場合に道具で引っ掛けることができる第１の引っ掛け部６を設けている。保持部５は、電池保持部４から、伸びたアーム部７と、このアーム部７に設けた電池装着手段２と係合する係合部分８と、アーム部７を移動させ係合部分８を電池装着手段２から外す場合に爪で引っ掛けることができる第２の引っ掛け部９とから構成される。
【００２０】
このような構成によれば、電池装着手段２から電池固定手段３を引き出す場合に第２の引っ掛け部９でアーム部７を移動させ、係合部分８を電池装着手段２から外すと共に、第１の引っ掛け部６に道具を引っ掛け、電池装着手段２から電池固定手段３を引き出すにより、使用者がボタン電池１５の交換等で何度も電池固定手段を取り出すことによって、係合部分が劣化や破損した場合でも、道具を使用しなければボタン電池１５を取り出すことができないので、ボタン電池１５の誤飲を防止することができる。
【００２１】
具体的には、電池保持部４は、一方側が開口したＵ字形状で、このＵ字形状の内面は、円板状のボタン電池１５の周縁部の下面と、側面とを覆う形状である。電池保持部４は、Ｕ字形状の電池装着手段２の側面長辺面１０側には、電池装着手段２の突起部１１がはまる凹部１４を備えている。電池保持部４の凹部１４に、電池装着手段２の突起部１１がはまることにより、電池装着手段２に電池固定手段３が固定できる。但し、Ｕ字形状の電池保持部４は、ボタン電池１５を装着しても、電池との間に隙間を有しているので、Ｕ字形状の電池保持部４が内方へ移動できるものである。これにより、電池装着手段２から電池固定手段３を引き出すと、電池装着手段２の突起部１１から電池保持部４の凹部１４が外すことができるものである。
【００２２】
電池保持部４の他方側には、電池装着手段２から電池固定手段３を引き出す場合に、道具で引っ掛けることができる第１の引っ掛け部６である窪みを設けている。ここで、第１の引っ掛け部６の窪みは、先のとがった道具で引っ掛けることができる構成にしてもよい。これにより、幼児が容易に電池固定手段を引き出すことができないので、幼児のボタン電池１５の誤飲を防止することができる。
【００２３】
アーム部７は、電池装着手段２の側面長辺面１０の一方側に、電池保持部４から電池保持部４の他方側へ伸びている。このアーム部７の先端には、爪で引っ掛けることができる第２の引っ掛け部９である溝部を備えている。この第２の引っ掛け部９の近傍には、電池装着手段２の係合窪み部１３に係合する係合部分８である突起が、電池装着手段２の側面長辺面１０の一方側の外方に突出している。
【００２４】
すなわち、第２の引っ掛け部９に爪を引っ掛け、電池装着手段２の側面長辺面１０の他方側へアーム部７の先端を移動させると、係合部分８が電池装着手段２の係合窪み部１３から外れるのである。ここで、第１の引っ掛け部６の窪みが、アーム部７寄りに位置するのである。第１の引っ掛け部６と、第２の引っ掛け部９とは、電池装着手段２から電池固定手段３を引き出す方向における電池固定手段３の下流側の一方側の端寄りに配置している。
【００２５】
これにより、電池装着手段２から電池固定手段３を引き出す場合に、第１の引っ掛け部６の窪みに先のとがった道具を引っ掛けて引き出すと、電池固定手段３のアーム部７側が、電池固定手段３のアーム部７が無い側に比べて先に移動する。すなわち、係合部分８が、電池装着手段２の窪みから最初に移動しやすいので、道具を使用しながらでも容易に取り出すことができる。
【産業上の利用可能性】
【００２６】
本発明にかかる電池収納装置は、幼児が容易にボタン電池を取り出せず、ボタン電池の誤飲防止を可能とするものであるので、脱着により電池交換を必要とするボタン電池等の収納装置として有用である。
【符号の説明】
【００２７】
１    リモコン本体
２    電池装着手段
３    電池固定手段
４    電池保持部
５    保持部
６    第１の引っ掛け部
７    アーム部
８    係合部分
９    第２の引っ掛け部
１０  側面長辺面
１１  突起部
１２  開口部
１３  係合窪み部
１４  凹部
１５  ボタン電池
【図１】
2013206673.tif 000003
【図２】
2013206673.tif 000004
【図３】
2013206673.tif 000005